(57)【特許請求の範囲】
【請求項１】
遊技機能部品のフランジを遊技盤の意匠盤面の上に重ね合わせ、フランジに形成された貫通孔よりねじ釘や打込釘等の釘を意匠盤面を経由して遊技盤の遊技基板にねじ込んだり又は打ち込むことで、遊技機能部品を取り付けた遊技機の遊技盤において、フランジの裏面に環状の凹部を貫通孔まわりに形成したことを特徴とする遊技機の遊技盤。
【発明の詳細な説明】
【０００１】
【発明の属する技術分野】
この発明は、パチンコ機等のような遊技機能部品を取り付けた遊技盤に関する。
【０００２】
【従来の技術】
図５は従来の遊技盤に遊技機能部品を取り付けた形態を示し、遊技盤２１は、ベニヤ板のような遊技基板２２の一表面に、意匠盤面としての化粧シート２３を一体に結合し、遊技機能部品のフランジ２４を化粧シート２３の上に重ね合わせ、フランジ２４に形成された貫通孔２５よりねじ釘や打込釘等の釘２６を化粧シート２３を経由して遊技基板２２にねじ込んだり又は打ち込むことで、遊技機能部品を備えている。
【０００３】
【発明が解決しようとする課題】
しかし、遊技盤２１に遊技機能部品を釘２６で取り付けると、図５のａ図やｂ図に示すように、釘２６まわりの化粧シート２３に浮上部２７を生じることがある。それは、釘２６が遊技基板２２に進入する際、化粧シート２３が外側に押されて応力歪を生じる。この応力歪が、化粧シート２３と遊技基板２２との最も結合力の弱い部分というように遊技盤２１中の結合強度の最も弱い部分に進行し、化粧シート２３の釘２６まわりが剥離して浮き上ることによるものと思われる。この化粧シート２３の浮上部２７が図５のａ図に示すように、フランジ２４の投影面内に存在すると、遊技機能部品の遊技盤２１からの高さが不当に高くなり、遊技盤２１をパチンコ店の島に取り付けられる機枠に組付けて、当該機枠のガラスを閉じた際に、ガラスを破損するような不都合がある。又、図５のｂ図に示すように、フランジ２４が浮上部２７を押すのに伴って、化粧シート２３の剥がれが外側に進行し、浮上部２７がフランジ２４の周囲に露出すると、品質感が悪くなる。
化粧シート２３が光透過性を有するセルロイドのような粘りの低い基材に意匠図を描いたものである場合は、浮上部の高さが小さくその幅も少ないが、ペットフィルム（ＰＥＴ；ポリエチレンテレフタレートフィルム）等のような粘りの高い基材を用いた際には、浮き上がり部がセルロイドに比べて大きく発生してしまう。又、化粧シートとして、ペットフィルムのような表面層の裏面に透明電極、発光層、背面電極、保護層等からなるエレクトロルミネセンスのような面発光体に構成されたものを使用した場合も、同様に、透明電極と発光層との間、発光層と背面電極との間、背面電極と保護層との間、保護層とそれに裏打ちされたケント紙のような定着用紙との間等の中で、結合強度の最も弱い部分に剥離を生じて浮上部が発生する。
【０００４】
そこで、この発明は釘で遊技盤に取り付けられる遊技機能部品のフランジの裏面に化粧シートの浮上部を取り込む逃げを形成して、品質感及び信頼性を向上することができる遊技機の遊技盤を提供しようとするものである。
【０００５】
【課題を解決するための手段】
請求項１の遊技機の遊技盤は、遊技機能部品のフランジを遊技盤の意匠盤面の上に重ね合わせ、フランジに形成された貫通孔よりねじ釘や打込釘等の釘を意匠盤面を経由して遊技盤の遊技基板にねじ込んだり又は打ち込むことで、遊技機能部品を取り付けた遊技機の遊技盤において、フランジの裏面に環状の凹部を貫通孔まわりに形成したことを特徴としている。
この請求項１の構成によれば、遊技機能部品のフランジの裏面に環状の凹部を貫通孔の周囲に形成したことにより、遊技機能部品を遊技盤に釘で取り付ける際に発生した意匠盤面の浮上部を凹部に捕捉して、遊技機能部品の遊技盤からの高さを的確にしたり、フランジで浮上部を隠蔽して、品質感及び信頼性を向上することができる。
フランジの裏面において、貫通孔と凹部との間に凸部を有すれば、凸部が釘の締結力を負担し、フランジの周縁が反ることがなく、フランジが意匠盤面と密接して、見栄えが良くなる。
凹部を複数条形成し、内側の凹部と貫通孔との間、各凹部の間のそれぞれに、環状の凸部を残存すれば、フランジの剛性を確保して、浮上部の取り込み性を向上できる。
貫通孔の周辺に複数の凸部を点在配置すれば、各凸部による釘の締結力負担と、凹部による浮上部の取り込み性とを向上することができる。
【０００６】
【発明の実施の形態】
図１〜２は第１実施形態を示している。図２において、遊技盤１は略方形のベニヤ板のような遊技基板２の上面に、意匠盤面としての化粧シート３を一体に結合し、化粧シート３の上より図外の発射装置から発射された図外の遊技球を遊技領域に誘導するバンド４、天入賞口５、風車６、センター役物７、始動口８、一般入賞口９、大入賞口１０、アウト口１１、多数の遊技釘と呼ばれる打ち込み釘１２を備えている。
【０００７】
図１にも示すように、上記天入賞口５、センター役物７、始動口８、一般入賞口９、大入賞口１０、アウト口１１等の遊技機能部品のフランジ１３は、皿穴のような貫通孔１４を有し、その裏面において、貫通孔１４の周囲に、環状の凹部１５を同心形状に備え、凹部１５と貫通孔１４との間に環状の凸部１６を残存している。化粧シート３は光透過性を有するセルロイドの裏面に意匠図が描かれた表層３ａの裏面に接着層３ｂで定着層３ｃを一体に結合している。
【０００８】
従って、上記遊技機能部品を遊技盤１に取り付けるには、フランジ１３の裏面を遊技盤１の化粧シート３の上に重ね合わせ、木ねじのような釘１７を貫通口１３より化粧シート３を経由して遊技基板２にねじ込むことにより、化粧シート３の釘１７まわりに浮上部１８が発生すると、浮上部１８が凸部１６により外側に押し出されて凹部１５に取り込まれることで、凸部１６及びフランジ１３の凹部１５より外側の裏面が化粧シート３を遊技基板２とでサンドイッチ状に平坦に保持する。これにより、遊技機能部品の高さが正確で、フランジ１３が浮上部１８を隠蔽し、品質感及び信頼性を向上できる。
【０００９】
又、フランジ１３の裏面において、貫通孔１４と凹部１５との間に凸部１６を有するので、凸部１６が釘１７の締結力を負担し、フランジ１３の周縁が反ることがなく、フランジ１３が化粧シート３と密接して、見栄えを良くすることができる。
【００１０】
図３は第２実施形態を示し、フランジ１３の裏面に環状の凹部１５を貫通孔１４を中心とする同心円状に形成し、内側の凹部１５と貫通孔１４との間、内側の凹部１５と外側の凹部１５との間のそれぞれに、環状の凸部１６を残存すれば、フランジ１３の剛性を確保して、浮上部１８の取り込み性を向上することができる。
【００１１】
図４は第３実施形態を示し、前記各実施形態の環状の凸部１６に代えて、複数の凸部１９を貫通孔１４の周辺に点在配置すれば、各凸部１９による釘の締結力負担と、凹部１５による浮上部１８の取り込み性とを向上することができる。
【００１２】
前記実施形態では表層３ａに定着層３ｃを接着層３ｂで結合した化粧シート３を図示して説明したが、化粧シート３は表層３ａにエレクトロルミネセンスのような面発光体を備えた構造でも適用できる。
【００１３】
又、釘１７として木ねじのようなねじ釘を図示して説明したが、ハンマーで打ち込むような打込釘でも前記実施形態と同様の作用効果がある。
【図面の簡単な説明】
【図１】第１実施形態を示し、ａ図は図２のＡ−Ａ線断面図、ｂ図はフランジの背面図。
【図２】同実施形態の遊技盤を示す正面図。
【図３】第２実施形態を示し、ａ図は断面図、ｂ図はフランジの背面図。
【図４】第３実施形態を示す斜視図。
【図５】従来例を示す断面図。
【符号の説明】
１  遊技盤
２  遊技基板
３  化粧シート
１３  フランジ
１４  貫通孔
１５  凹部
１６，１９  凸部
１７  釘
１８  化粧シートの浮上部
【図１】
0003552857.tif 000002
【図２】
0003552857.tif 000003
【図３】
0003552857.tif 000004
【図４】
0003552857.tif 000005
【図５】
0003552857.tif 000006